(57)【要約】【課題】庇を伸展又は収縮したとき、外観性が良好であり、かつ庇シートの下から吹き上げる強風、突風に耐える可動庇装置の提供が主な課題である。【解決手段】可動庇装置Ｔは、上部ドラム１、下部ドラム２、上部シート３及び下部シート４からなる庇シート、先端部材５、左右屈伸アーム６、７及び取付部材８を主な構成部材としている。【選択図】  図１
2007303065.tif 000002
【特許請求の範囲】
【請求項１】
商店街等の建造物の出入口部上方に配備される可動庇装置であって、
出入口部上方かつ桁梁の下方に配設される上下の電動モータ２基によって駆動される上部ドラム及び下部ドラムと、
出入口部上方の梁と平行し、前記上部ドラム及び下部ドラムの略中間の壁面に固定される取付部材と、
前記上部ドラムに巻回される上部シートと下部ドラムに巻回される下部シートからなる庇シートと、
前記上部シートと下部シートの先端部が固着される先端部材と、
第１アームと第２アームからなり、第１アームの一端は前記取付部材に枢支ピンを介して回動可能に固定され、第２アームの一端は前記先端部材に枢支ピンを介して回動可能に固定されると共に、それぞれの他端は中間枢支ピンで連結された左右一対の屈伸アームと、
からなる、可動庇装置。
【請求項２】
前記上部ドラムと下部ドラムは、それぞれに連結された電動モータにより同期的に作動し、上部シートと下部シートの伸展と収縮は同一方向に同時に行われることを特徴とする、請求項１に記載の可動庇装置。
【請求項３】
前記左右一対の屈伸アームは、取付部材と先端部材の左右対称位置に固定され、前記庇シートを最大限に伸展したとき、それぞれの屈伸アームは真っ直ぐに伸びて平面視Ｈ字状を形成し、前記庇シートを収縮するとき、屈伸アームはそれぞれ同時に平面視一方は逆くの字形、他方はくの字形を形成しながら収縮することを特徴とする、請求項１〜２の何れかに記載の可動庇装置。
【請求項４】
前記左右一対の屈伸アームの中間枢支ピンは、１本の連結杆を介して回動可能に装着されていることを特徴とする、請求項１〜３の何れかに記載の可動庇装置。
【請求項５】
前記左右一対の屈伸アームが、取付部材と先端部材の左右対称位置に固定され、前記庇シートを最大限に伸展したとき、それぞれの屈伸アームは真っ直ぐに伸びて平面視Ｈ字状を形成し、前記庇シートを収縮するとき、屈伸アームはそれぞれ同時に平面視略菱形状に収縮することを特徴とする請求項１〜４の何れかに記載の可動庇装置。
【請求項６】
前記左右一対の屈伸アームの中間枢支ピンは、それぞれ外側の枢支ピンに対向する内側の枢支ピンと２本の連結杆を介して回動可能に装着されていることを特徴とする、請求項１〜５の何れかに記載の可動庇装置。
【請求項７】
前記左右一対の屈伸アームの先端部は、取付部材への固定部位より下方位置で先端部材に固定されていることを特徴とする、請求項１〜６の何れかに記載の可動庇装置。
【請求項８】
前記先端部材を頂点とし、上部ドラムと下部ドラム、上部シートと下部シートにより、側面視略三角形状が形成されていることを特徴とする、請求項１〜７の何れかに記載の可動庇装置。
【請求項９】
前記上部シート及び下部シートが、防炎性及び耐候性を有する素材からなり、該下部シート下面部には、店舗名、社名、ビル名、キャッチコピー、キャラクター又は絵画等の表示がなされていることを特徴とする、請求項１〜８の何れかに記載の可動庇装置。
【請求項１０】
前記上部シート及び下部シートの先端部が固着される先端部材には、照明器具又は装飾部材が装着されていることを特徴とする、請求項１〜９の何れかに記載の可動庇装置。
【請求項１１】
前記桁梁の上面部及び正面部は、化粧張りすると共に、少なくとも正面部の化粧張りは桁梁の高さより長寸としていることを特徴とする請求項１〜１０の何れかに記載の可動庇装置。
【発明の詳細な説明】
【技術分野】
【０００１】
本発明は、可動庇装置に係り、より詳しくは、商店街等の建造物の開口部上方に配備され、天候等に即応して随時電動モータ等を駆動し、上下ドラムに懸回された庇シートを所望の長さに伸縮する可動庇装置に関する。
【背景技術】
【０００２】
従来、ビル、店舗店頭の軒先又は家屋の窓、ベランダ等に設置される、日除け、雨除け等を目的とした可動庇装置又はオーニング装置に関しては、多数の提案がなされている。例えば、図９に示すように、水平方向に屈伸可能なくの字形のアーム１０３を左右に配置し、それら左右一対からなるアーム１０３の先端の間に掛け渡された前枠１０６に巻取りドラム１０４から引き出された日除けシート１０２の前端縁を取り付けることによって、アーム１０３の伸展により日除けシート１０２を張り出し、折り畳むことにより外壁側に引き込むようにしているものが、現在多用されている（特開平７−３０５４６７）。また特開２００３−７４１５９の日除け装置、特開２０００−４５４７７の日除け装置及び登録実用新案３０５６９３１の建築物用オーニング等も開示されている。  
【０００３】
特開２００３−７４１５９は、日除けシートを、回動アームを介して屋外側に伸展し、該日除けシートの前方端部は、回動アーム先端部に固定されると共に、下方に向けて垂設される構成となっている。また特開２０００−４５４７７は、左右左右一対の折曲可能なアームに連結された前枠に固定されたテントを、モータにより張り出し、収納する構成となっている。また登録実用新案３０５６９３１は、テント部を形成するシート体を、左右の支柱に支持されたアーム部でベランダ外側に伸展する構成となっている。
【特許文献１】特開平７−３０５４６７号公報
【特許文献２】特開２００３−７４１５９号公報
【特許文献３】特開２０００−４５４７７号公報
【特許文献４】実用新案登録第３０５６９３１号公報
【発明の開示】
【発明が解決しようとする課題】
【０００４】
上記特許文献１〜４は、いずれも機械的な操作又は手動により、日除けシート、テント又はシート体をそれぞれ回動アーム又はアーム等で屋外側ないし通路側に伸展又は収縮することを特徴としている。しかしながら、これらの特許文献に開示された構造等については、以下の問題点を有している。その１は、日除けシート等を伸展したとき、回動アームや支柱等が露出され、来客又は通行人の視野に入るために不体裁であると共に、アーム１０３やこれを支持する部材等に付着した塵埃等が、来客又は通行人の頭髪や上衣等に落下することがあり、特にファッション、宝飾店、食料品店又は飲食店等の可動庇装置としては極めて不適切な可動庇装置である。その２は、特に夏季等、日差しが強いときは、伸展された１枚の日除けシート（庇シート）のみでは太陽光線の照射熱を遮断することができず、日除けシート（庇シート）の下にいる来客又は通行人等に不快感を与えるのみならず、店頭に並置した各種商品、特に生鮮食料品等の品質には多大な影響を与える。その３は、庇シート等は回動アームと前枠等のみに固定されているために強風、特に日除けシート、テント等の下から吹き上げる風にあおられて吹き上げられたりするという弱点があり、バタバタという大きな騒音を発生し、ときには日除けシート（庇シート）、テント等が吹き飛ばされることもある。
【０００５】
本発明が解決しようとする第１の課題は、日除けシート（庇シート）を伸展又は収縮したときに、良好な外観性を保持することであり、第２の課題は、特に夏季等における強い日差しからの照射熱を遮断し、来客又は通行人に不快感を与えない可動庇装置の提供で、第３の課題は、日除けシート等の下から吹き上げる強風に耐える可動庇装置を提供することにある。
【課題を解決するための手段】
【０００６】
本発明者は、上記従来技術が有する各種の問題点に鑑み、鋭意検討を重ね、特に特許文献１〜４にあるように、電動又は手動の巻取りドラム１基で日除けシート（庇シート）の伸縮作業を行うのが通例で、１基の巻取りドラムを２基にすることは必然的にコストアップとなるために、当該業界においては想到されていなかったことに着目し、第１〜第３の課題を解決するための本発明を完成したものである。
課題を解決するための手段は、本願の特許請求の範囲の各請求項に記載の発明であり、その具体的な解決手段は、以下の通りである。
【０００７】
課題を解決するための第１の発明は、請求項１に記載の発明であり、商店街等の建造物の出入口部上方に配備される可動庇装置であって、出入口部上方かつ桁梁の下方に配設される上下の電動モータ２基によって駆動される上部ドラム及び下部ドラムと、出入口部上方の梁と平行し、前記上部ドラム及び下部ドラムの略中間の壁面に固定される取付部材と、
前記上部ドラムに巻回される上部シートと下部ドラムに巻回される下部シートからなる庇シートと、前記上部シートと下部シートの先端部が固着される先端部材と、第１アームと第２アームからなり、第１アームの一端は前記取付部材に枢支ピンを介して回動可能に固定され、第２アームの一端は前記先端部材に枢支ピンを介して回動可能に固定されると共に、それぞれの他端は中間枢支ピンで連結された左右一対の屈伸アームと、からなることを特徴としている。
【０００８】
上記の課題を解決するための第２の発明は、請求項２に記載の発明であって、前記上部ドラムと下部ドラムは、それぞれに連結された電動モータにより同期的に作動し、上部シートと下部シートの伸展と収縮は同一方向に同時に行われることを特徴としている。
【０００９】
上記の課題を解決するための第３の発明は、請求項１〜請求項２の何れかに記載の発明にあって、前記左右一対の屈伸アームは、取付部材と先端部材の左右対称位置に固定され、前記庇シートを最大限に伸展したとき、それぞれの屈伸アームは真っ直ぐに伸びて平面視Ｈ字状を形成し、前記庇シートを収縮するとき、屈伸アームはそれぞれ同時に平面視一方は逆くの字形、他方はくの字形を形成しながら収縮することを特徴としている。
【００１０】
上記の課題を解決するための第４の発明は、請求項１〜請求項３の何れかに記載の発明にあって、前記左右一対の屈伸アームの中間枢支ピンは、１本の連結杆を介して回動可能に装着されていることを特徴としている。
【００１１】
上記の課題を解決するための第５の発明は、請求項１〜請求項４の何れかに記載の発明にあって、前記左右一対の屈伸アームが、取付部材と先端部材の左右対称位置に固定され、前記庇シートを最大限に伸展したとき、それぞれの屈伸アームは真っ直ぐに伸びて平面視Ｈ字状を形成し、前記庇シートを収縮するとき、屈伸アームはそれぞれ同時に平面視略菱形状に収縮することを特徴としている。
【００１２】
上記の課題を解決するための第６の発明は、請求項１〜請求項５の何れかに記載の発明にあって、前記左右一対の屈伸アームの中間枢支ピンは、それぞれ外側の枢支ピンに対向する内側の枢支ピンと２本の連結杆を介して回動可能に装着されていることを特徴としている。
【００１３】
上記の課題を解決するための第７の発明は、請求項１〜請求項６の何れかに記載の発明にあって、前記左右一対の屈伸アームの先端部は、取付部材への固定部位より下方位置で先端部材に固定されていることを特徴としている。
【００１４】
上記の課題を解決するための第８の発明は、請求項１〜請求項７の何れかに記載の発明にあって、前記先端部材を頂点とし、上部ドラムと下部ドラム、上部シートと下部シートにより、側面視略三角形状が形成されていることを特徴としている。
【００１５】
上記の課題を解決するための第９の発明は、請求項１〜請求項８の何れかに記載の発明にあって、前記上部シート及び下部シートが、防炎性及び耐候性を有する素材からなり、該下部シート下面部には、店舗名、社名、ビル名、キャッチコピー、キャラクター又は絵画等の表示がなされていることを特徴としている。
【００１６】
上記の課題を解決するための第１０の発明は、請求項１〜請求項９の何れかに記載の発明にあって、前記上部シート及び下部シートの先端部が固着される先端部材には、照明器具又は装飾部材が装着されていることを特徴としている。
【００１７】
上記の課題を解決するための第１１の発明は、請求項１〜請求項１０の何れかに記載の発明にあって、前記桁梁の上面部及び正面部は、化粧張りすると共に、少なくとも正面部の化粧張りは桁梁の高さより長寸としていることを特徴としている。
【発明の効果】
【００１８】
本発明に係る、可動庇装置は、上記の特徴的構成により以下の効果を奏する。即ち、第１の発明によれば、庇シート下の来客又は通行人等の視界に直接入る、電動モータ、ドラム、左右の屈伸アーム及び当該屈伸アームを固着する取付部材、枢支ピン、連結杆等の各部材は、下部シートで来客又は通行人等の視界から全面的に遮蔽されるので、良好な外観性の保持という第１の課題は解決される。また庇シートは、上部シート及び下部シートからなり、上部シート表面の照射熱は、下部シートとの中間で形成される空気層で滞留するか、又は庇装置の側面から流入する通気によって排出され、その照射熱は下部シートの下面まで直接には達しないので、夏季等における強い日差しからの照射熱を遮断し、来客又は通行人に不快感を与えることがない庇装置の提供という、第２の課題を解決することができる。
【００１９】
第２の発明によれば、上部ドラムと下部ドラムは、それぞれに連結された２基の電動モータにより同期的に作動するので、１基の電動モータでシートを伸展・収縮する可動庇装置と比較して、負荷重が軽減するので、電動モータ及びドラムは小型化することができ、コスト上も問題とはならないし、また故障の発生を少なくできる。さらに上部シートと下部シートの伸展と収縮は同一方向に同時に行われるので、両シート等の損傷が少ないので、耐用期間を長期とすることができる。
【００２０】
第３、第４及び第８の発明は、第３課題の解決手段である。左右一対の屈伸アームは、取付部材と先端部材の左右対称位置に固定され、庇シートを最大限に伸展したとき、それぞれの屈伸アームは真っ直ぐに伸びて平面視Ｈ字状を形成し、庇シートを収縮するとき、屈伸アームは、それぞれ同時に平面視、一方は逆くの字形、他方はくの字形を形成しながら収縮し、また左右一対の屈伸アームの中間枢支ピンは、１本の連結杆を介して回動可能に装着されているので、庇シートを最大限に伸展しているとき、又は収縮途中で強風や突風が発生しても上下のシートがあおられたり、吹き飛ばされたりすることを防止することができる。また先端部材を頂点とし、上部ドラムと下部ドラム、上部シートと下部シートにより、側面視略三角形状が形成されているので、外観性が向上されることに加えて、庇シートを最大限に伸展した状態における庇装置の下から吹き上げる強風や突風は、下部シートの下面に沿って反転するように庇装置の外方に流出するので、屈伸アーム等にはほとんど影響しないので、騒音を発したり、庇装置全体があおられたりすることが防止できる。
【００２１】
第５及び第６の発明も、第３及び第４の発明と同様に第３の課題の解決手段となる。庇シートを最大限に伸展したとき、左右一対の屈伸アームは真っ直ぐに伸びて平面視Ｈ字状を形成し、庇シートを収縮するとき、左右一対の屈伸アームはそれぞれ同時に平面視略菱形状に収縮し、また左右一対の屈伸アームの中間枢支ピンは、それぞれ外側の枢支ピンは対向する内側の枢支ピンと２本の連結杆を介して回動可能に装着されているから、下部シートへの風圧に耐える強固な構造となり、庇シートを最大限に伸展しているとき、又は収縮の途中で強風や突風が発生しても上下のシートがあおられたり、吹き飛ばされたりすることを防止し、また騒音を発生することがない。
【００２２】
第７の発明によれば、左右一対の屈伸アームの先端部は、取付部材への固定部位より下方位置で先端部材に固定されているので、庇シートの伸縮動作、特に庇シートを伸展するとき、２基の電動モータを逆回転にすれば、庇シートは左右の屈伸アームと先端部材の自重により自動的に伸展され、電動モータには負荷がほとんどかからないので、上下の電動モータ、ドラム等の耐用期間が長くなる。
【００２３】
第９〜第１１の発明によれば、上部シート及び下部シートが、防炎性及び耐候性を有する素材からなり、該下部シート下面部には、店舗名、社名、ビル名、キャッチコピー、キャラクター又は絵画等の表示がなされ、また上部シート及び下部シートの先端部が固着される先端部材には、照明器具又は装飾部材が装着され、さらに桁梁の上面部及び正面部は、化粧張りすると共に、少なくとも正面部の化粧張りは、桁梁の高さより長寸とした構成としているので、商店街等の防火対策として有効であり、また撥水性ある素材とすれば、上部シートの長期使用に耐えることができる。さらに下部シート下面部の表示は、外観性を良好にすると共に、個々の店舗はもちろん、商店街等の広告・宣伝効果を高め、統一感のある商店街として好適な印象を与え、周辺地域の活性化にもつながる。
【発明を実施するための最良の形態】
【００２４】
以下、本発明に係る、可動庇装置に関する最良の実施形態について、図面を参照しながら説明する。図１は、庇シートを、最大に伸展した状態の可動庇装置の側面図、図２は、図１における２−２線矢視図、図３は、図１における３−３線矢視図、図４は、庇シートを収縮する途中における可動庇装置の平面図、図５は、庇シートを、最小に収縮した状態の平面図、図６は、図５の状態の側面図、図７は、屈伸アームの他の実施形態を示す平面図、図８は、可動庇装置を商店街等の建造物に装着し、庇シートを最小に収縮した状態の全体を示す斜視図、図９は、従来例を示す斜視図である。
【００２５】
可動庇装置Ｔは、図１〜図６に示すように、上部ドラム１、下部ドラム２、上部シート３及び下部シート４からなる庇シート、先端部材５、左右左右一対の屈伸アーム６、７及び取付部材８を主な構成部材としている。上部ドラム１は、桁梁９の直下に支持されたブラケット１０に装着され、回動軸の一端１ａは、減速機付き電動モータ１１の駆動軸１１ａと連結されて正逆回転可能に軸支され、また当該上部ドラム１の回動軸の他端１ｂは、図１〜図６に示すように壁面１２に支持されたブラケット１３に回動可能に軸支されている。取付部材８は梁２２と平行して、上部ドラム１及び下部ドラム２の略中間の壁面１２に、アンカーボルト８ｂ、８ｃ等により固着されている
【００２６】
図３に示すように、下部ドラム２は、上部ドラム１及び取付部材８の下方に配設され、当該下部ドラム２の回動軸の一端２ａは、減速機付き電動モータ１４の駆動軸１４ａと連結されて正逆回転可能に軸支され、また回動軸の他端２ｂは、壁面１２に支持されたブラケット１５に回動可能に軸支されている。
【００２７】
上部シート３及び下部シート４は、防炎性及び耐候性を有する素材例えば、ポリエステル繊維からなる不織布に、防炎性、撥水性、遮熱性等を付与するための有機フッ素化ポリマーで撥水加工した後、アクリル酸エステル樹脂とアルミニウム又は顔料との混合樹脂をコーティングしてなるシート等が好適に使用される。上部シート３及び下部シート４の根本部３ａ及び４ａは、それぞれ上部ドラム１及び下部ドラム２に固着され、上部シート３及び下部シート４が使用されないとき（収縮時）は、図５及び図６に示すようにその約９０％が、それぞれ上部ドラム１及び下部ドラム２に巻回されている。また上部シート３及び下部シート４の先端部３ｂ及び４ｂは、屈伸アーム６、７の先端に固定された先端部材５に固着されている。  
【００２８】
左屈伸アーム６は、図２に示すように、第１アーム６１及び第２アーム６２からなり、第１アーム６１の一端６１ａは、取付部材８の支持具８ａに枢支ピン６１ｂを介して回動可能に固定され、第２アーム６２の一端６２ａは、先端部材５の支持具５ａに枢支ピン６２ｂを介して回動可能に固定されている。右屈伸アーム７は、第１アーム７１及び第２アーム７２からなり、第１アーム７１の一端７１ａは、取付部材８の支持具８ａに枢支ピン７１ｂを介して回動可能に固定され、第２アーム７２の一端７２ａは、先端部材５の支持具５ａに枢支ピン７２ｂを介して回動可能に固定されている。また屈伸アーム６の第１アーム６１及び第２アーム６２の他端６１ｃと６２ｃは中間枢支ピン６１ｄで回動可能に連結され、屈伸アーム７の第１アーム７１及び第２アーム７２の他端７１ｃと７２ｃは中間枢支ピン７１ｄで回動可能に連結されている。さらに屈伸アーム６の中間枢支ピン６１ｄと屈伸アーム７の中間枢支ピン７１ｄは１本の連結杆１６で水平移動可能に連結されている。
【００２９】
取付部材８は、図１〜図６に示すように、通路Ａ面に対して下向き傾斜するように壁面１２にアンカーボルト８ｂ、８ｃ等により固着されているので、左右の屈伸アーム６、７の先端は、その一端６１ａ、７１ａよりα°下方に位置している。この傾斜角度αは、約５°〜１５°で好ましくは、約１０°である。
【００３０】
図３は、図１における３−３矢視図で、同図に示すように、上部ドラム１を回転させる電動モータ１１と下部ドラム２を回転させる電動モータ１４は、同一の電源２０でＯＮ、ＯＦＦが同期的に作動するように設定され、上部シート３及び下部シート４を伸展（図１の矢印Ｐ１）するとき、電動モータ１１の駆動軸１１ａ及び電動モータ１４の駆動軸１４ａは正回転（時計回り）し、上部シート３及び下部シート４は、左右の屈伸アーム６、７及び先端部材等の自重で徐々に通路Ａの中央へと伸展されて行き（図４、参照）、最大に伸展された状態が図１及び図２に示されている。また庇シートを収縮（図１の矢印Ｐ２）するときは、電動モータ１１の駆動軸１１ａ及び電動モータ１４の駆動軸１４ａを逆回転（時計逆回り）させれば、左右の屈伸アーム６、７は逆くの字及びくの字を形成しながら徐々に収縮して行き、最小に収縮された状態が図５及び図６に示されている。
【００３１】
図７は、屈伸アームの他の実施形態を示し、上部シート３及び下部シート４を伸展又は収縮途中の状態を例示している。左屈伸アーム３０は、第１アーム３１及び第２アーム３２からなり、第１アーム３１の一端３１ａは、取付部材８の支持具８ａに枢支ピン３１ｂを介して回動可能に固定され、第２アーム３２の一端３２ａは、先端部材５の支持具５ａに枢支ピン３２ｂを介して回動可能に固定されている。右屈伸アーム４０は、第１アーム４１及び第２アーム４２からなり、第１アーム４１の一端４１ａは、取付部材８の支持具８ａに枢支ピン４１ｂを介して回動可能に固定され、第２アーム４２の一端４２ａは、先端部材５の支持具５ａに枢支ピン４２ｂを介して回動可能に固定されている。また左屈伸アーム３０の第１アーム３１及び第２アーム３２の他端３１ｃと３２ｃは中間枢支ピン３１ｄで回動可能に連結され、右屈伸アーム４０の第１アーム４１及び第２アーム４２の他端４１ｃと４２ｃは中間枢支ピン４１ｄで回動可能に連結されている。さらに左屈伸アーム３０の外中間部枢支ピン３１ｄと右屈伸アーム４０の内中間部枢支ピン４１ｄとは、取付部材８と平行に連結杆１６０で水平移動可能に連結され、左屈伸アーム３０の内中間部枢支ピン３１ｄと右屈伸アーム４０の外中間部枢支ピン４１ｄとは、取付部材８と平行に連結杆１７０で水平移動可能に連結されている。上部シート３及び下部シート４を最大に伸展すれば、左屈伸アーム３０及び右屈伸アーム４０は、真っ直ぐに伸びて、図２に示すように平面視略Ｈ状を形成する。
【００３２】
可動庇装置Ｔは、例えば図８に示すように、複数の店舗Ｓ１、Ｓ２、Ｓ３、…が並設して形成される商店街等の建造物Ｂに装着して好適に使用される。桁梁９の上面部９ａ及び正面部９ｂは、例えば、御影石、モルタル、レンガタイル等の化粧張りが施工され、特に正面部９ｂは桁梁９の高さより長寸とされ、通路Ａ側から電動モータ１１、上部ドラム１側への風雨、枯葉、塵埃等の侵入を防ぐためのものである。該桁梁９は、複数の店舗 Ｓ１、Ｓ２、Ｓ３、…の軒先に一連的に装着される。また下部シート４の表面部４ｃには、各店舗Ｓ１、Ｓ２、Ｓ３、…それぞれの店舗名Ｓ１ａ、Ｓ２ａ、Ｓ３ａ、…等が表示される。さらに先端部材５には照明器具１８又は装飾部材１９が装着されている。
【００３３】
可動庇装置Ｔにおける上部シート３及び下部シート４の伸展及び収縮の作動状態について、さらに詳細に説明する。先ず上部シート３及び下部シート４は、不使用時においては、図５、図６に示すように、また図８の状態で収縮、保持されており、上部シート３及び下部シート４を伸展するときは、電動モータ１１及び１４の電源２０をＯＮすると、電動モータ１１及びの駆動軸１１ａの回転（正回転）は、上部ドラム１の回動軸１ａ、１ｂに伝動され、電動モータ１４の駆動軸１４ａの回転（正回転）は、下部ドラム２の回動軸２ａ、２ｂに伝動され、上部シート３及び下部シート４は同時に伸展を開始し、その伸展に連動して左右の屈伸アーム６、７も逆くの字とくの字形を拡張しながら伸展し（図４参照）、当該左右の屈伸アーム６、７が直伸したとき、リミットスイッチ（不図示）の作動によって電動モータ１１、１４の駆動は停止され、上部シート３及び下部シート４は最大限まで伸展される（図１、図２）。  
【００３４】
つぎに上部シート３及び下部シート４を収縮するときは、電動モータ１１及び１４の電源２０をＯＮすると、電動モータ１１の駆動軸１１ａの回転（逆回転）は、上部ドラム１の回動軸１ａ、１ｂに伝動され、電動モータ１４の駆動軸１４ａの回転（逆回転）は、下部ドラム２の回動軸２ａ、２ｂに伝動され、上部シート３及び下部シート４は同時に収縮を開始し、その収縮に連動して左右の屈伸アーム６、７も逆くの字とくの字形を形成しながら徐々に収縮し（図４参照）、当該左右の屈伸アーム６、７が所定に位置に到達したとき、リミットスイッチ（不図示）の作動によって電動モータ１１、１４の駆動は停止され、上部シート３及び下部シート４は収縮、保持される。なお、例えば、日照、時刻又は天候等の状態で、上部シート３及び下部シート４の伸展又は収縮位置を、電動モータ１１、１４のＯＮ、ＯＦＦで調整することができるのはもちろんである。  
【図面の簡単な説明】
【００３５】
【図１】は、本発明に係る、可動庇装置における、庇シートを、最大に伸展した状態の可動庇装置の側面図である。
【図２】は、図１における２−２線矢視図である。
【図３】は、図１における３−３線矢視図である。
【図４】は、庇シートを収縮する途中における可動庇装置の平面図である。
【図５】は、庇シートを、最小に収縮した状態の平面図である。
【図６】は、図５の状態の側面図である。
【図７】は、屈伸アームの他の実施形態を示す平面図である。
【図８】は、可動庇装置を商店街等の建造物に装着し、庇シートを最小に収縮した状態の全体を示す斜視図である。
【図９】は、従来例を示す斜視図である。
【符号の説明】
【００３６】
Ｔ                        可動庇装置
Ｂ                        建造物
Ｓ１、Ｓ２、Ｓ３、…      店舗
Ｓ１ａ、Ｓ２ａ、Ｓ３ａ、…店舗名
１                        上部ドラム
２                        下部ドラム
３                        上部シート
４                        下部シート
５                        先端部材
６、３０                  左屈伸アーム
７、４０                  右屈伸アーム
６１、７１                第１アーム                      
６２、７２                第２アーム
３１、４１                第１アーム                      
３２、４２                第２アーム
８                        取付部材
９                        桁梁
９ａ                      上面部
９ｂ                      正面部
１０                      ブラケット
１１、１４                電動モータ
１２                      壁面
６１ｂ、６２ｂ、          枢支ピン
７１ｂ、７２ｂ            枢支ピン
６１ｄ、７１ｄ            中間部枢支ピン
３１ｂ、３２ｂ、          枢支ピン
４１ｂ、４２ｂ            枢支ピン
３１ｄ、４１ｄ            中間部枢支ピン
１６、１６０、１７０      連結杆
１８                      照明器具
１９                      装飾部材
２２                      梁
【図１】
2007303065.tif 000003
【図２】
2007303065.tif 000004
【図３】
2007303065.tif 000005
【図４】
2007303065.tif 000006
【図５】
2007303065.tif 000007
【図６】
2007303065.tif 000008
【図７】
2007303065.tif 000009
【図８】
2007303065.tif 000010
【図９】
2007303065.tif 000011